(57)【要約】      （修正有）【課題】機能性を更に高めることを可能にするサコッシュを提供する。【解決手段】サコッシュ１０は、袋本体部１２と、該袋本体部につながる帯状部１４とを備える。帯状部１４の少なくとも過半は、該帯状部１４の長手方向に伸縮可能である。帯状部１４は外力が作用していないときの第１の状態と、該第１の状態よりも長く伸ばした第２の状態との間で選択的に変形可能であり、帯状部１４は、第２の状態にあるとき、長手方向において、第１の状態のときの長さの少なくとも２倍の長さを有する。【選択図】図１
0003231488.tif 000002
【実用新案登録請求の範囲】
【請求項１】
袋本体部と、
該袋本体部につながる帯状部と
を備え、
前記帯状部の少なくとも過半は、該帯状部の長手方向に伸縮可能である、
サコッシュ。
【請求項２】
前記帯状部は、外力が作用していないときの第１の状態と、該第１の状態よりも長く伸ばした第２の状態との間で選択的に変形可能であり、
前記帯状部は、前記第２の状態にあるとき、前記長手方向において、前記第１の状態のときの長さの少なくとも２倍の長さを有する、
請求項１に記載のサコッシュ。
【請求項３】
前記帯状部は、外力が作用していないときの第１の状態と、該第１の状態よりも長く伸ばした第２状態との間で選択的に変形可能であり、
前記帯状部は、前記第１の状態にあるとき、前記長手方向において、前記袋本体部の長手方向の長さの少なくとも３倍の長さを有する、
請求項１又は２に記載のサコッシュ。
【請求項４】
前記帯状部は、前記袋本体部に着脱自在である、
請求項１から３のいずれか一項に記載のサコッシュ。
【請求項５】
前記帯状部の長さを調節する長さ調節機構を更に備えている、
請求項１から４のいずれか一項に記載のサコッシュ。
【請求項６】
前記帯状部は、該帯状部の全長にわたって該帯状部の前記長手方向に伸縮可能である、
請求項１から５のいずれか一項に記載のサコッシュ。
【考案の詳細な説明】
【技術分野】
【０００１】
本考案は、ユーザーの身体に斜め掛けするサコッシュに関する。
【背景技術】
【０００２】
片方の肩からもう一方の肩の下を通すように斜め掛けされるバッグである、サコッシュ（sacoche）が従来、種々の場面で活用されている。例えば、特許文献１は、サコッシュの形態とリュックサック（バックパック）の形態との間で変形させることができるように構成されたバッグを開示する。
【先行技術文献】
【特許文献】
【０００３】
【特許文献１】実用新案登録第３２２２６５４号
【考案の概要】
【考案が解決しようとする課題】
【０００４】
サコッシュは、機能性に優れ、小物を携帯するのに便利である。近年、小物には、貴重品のみならず、電子カードにまで広がりをみせている。この小物の幅の広がりに伴い、サコッシュの機能性を更に高めることが望まれる。本考案は、サコッシュの機能性を更に高めることを可能にする構成を提供することを目的とする。
【課題を解決するための手段】
【０００５】
本考案に係る一態様は、
袋本体部と、
該袋本体部につながる帯状部と
を備え、
前記帯状部の少なくとも過半は、該帯状部の長手方向に伸縮可能である、
サコッシュを提供する。
【０００６】
上記構成によれば、帯状部がその長手方向にかなり長くなることができ、よって、ユーザーは使用時にサコッシュを身に着けたまま、袋本体部の位置を容易に柔軟に変えることができる。したがって、上記構成のサコッシュは、そのサコッシュの機能性を更に高めることを可能にする。
【０００７】
好ましくは、前記帯状部は、外力が作用していないときの第１の状態と、該第１の状態よりも長く伸ばした第２の状態との間で選択的に変形可能であり、前記帯状部は、前記第２の状態にあるとき、前記長手方向において、前記第１の状態のときの長さの少なくとも２倍の長さを有する。この構成によれば、帯状部の長手方向の長さをより柔軟に変えることができる。
【０００８】
好ましくは、前記帯状部は、外力が作用していないときの第１の状態と、該第１の状態よりも長く伸ばした第２状態との間で選択的に変形可能であり、前記帯状部は、前記第１の状態にあるとき、前記長手方向において、前記袋本体部の長手方向の長さの少なくとも３倍の長さを有する。この構成により、袋本体部の大きさに対して帯状部の長さを非常に長くできるので、ユーザーは使用時にサコッシュを身に着けたまま、袋本体部の位置をより容易に変えることができる。
【０００９】
好ましくは、前記帯状部は、前記袋本体部に着脱自在である。この構成により、袋本体部のより自由な活用が可能になる。
【００１０】
好ましくは、前記帯状部の長さを調節する長さ調節機構を更に備えている。この構成により、ユーザーの身体の大きさに合わせたサコッシュの柔軟な活用が可能になる。
【００１１】
好ましくは、前記帯状部は、該帯状部の全長にわたって該帯状部の前記長手方向に伸縮可能である。この構成により、帯状部をより柔軟に伸縮させることが可能になり、よって、ユーザーは使用時にサコッシュを身に着けたまま、袋本体部の位置をより容易に柔軟に変えることができる。
【考案の効果】
【００１２】
本考案の上記態様によれば、サコッシュの機能性を更に高めることが可能になる。
【図面の簡単な説明】
【００１３】
【図１】一実施形態に係るサコッシュの構成を示す図である。
【図２】図１のサコッシュのバックルの図であり、（ａ）はその結合時を、（ｂ）はその分離時を示す。
【図３】図１のサコッシュの長さ調節機構を示す図である。
【図４】図１のサコッシュの使用例を説明するための図である。
【図５】図１のサコッシュの使用例を説明するための別の図である。
【考案を実施するための形態】
【００１４】
以下、図面を参照して、本考案の一実施形態に係るサコッシュ１０について説明する。
【００１５】
図１は、本考案の一実施形態に係るサコッシュ１０を表した図である。サコッシュ１０は、カバン又はバッグの一種である。サコッシュ１０は、袋本体部１２と、帯状部１４とを備える。図１では、袋本体部１２に、帯状部１４がつながれている。
【００１６】
袋本体部１２は、横長の形を有し、マチが無く、例えば底部の平らな部分が無く、薄型である。袋本体部１２の内部に区画形成される収容空間には、ファスナー１２Ｆを介してアクセス可能である。
【００１７】
帯状部１４は、所謂肩紐であり、サコッシュ１０に適した細さを有する。帯状部１４は、袋本体部１２にその両端の各々で着脱自在に設けられている。帯状部１４の一端（図１の左側の端部）の袋本体部１２への取り付け位置は、帯状部１４の他端（図１の右側の端部）の袋本体部１２への取り付け位置から離れている。なお、帯状部１４は、その一端で、又は、その両端で袋本体部１２に固定されてもよい。
【００１８】
サコッシュ１０では、帯状部１４は袋本体部１２に着脱自在である。ここでは、帯状部１４を袋本体部１２に着脱自在にする機構としてバックル１６が用いられている。バックル１６は雌型バックル部材１８と、雄型バックル部材２０とからなる。図２に図１の右側のバックル１６を示す。図２（a）に係合状態つまり結合状態にある雌型バックル部材１８と雄型バックル部材２０とを示し、図２（ｂ）に分離状態つまり取り外し状態にある雌型バックル部材１８と雄型バックル部材２０とを示す。ただし、雌型バックル部材１８は帯状部１４側に設けられ、雄型バックル部材２０は袋本体部１２側に設けられているが、この関係は逆であってもよい。このように、帯状部１４を袋本体部１２に着脱自在にする着脱機構は機械式の機構を採用するとよい。着脱機構はバックルに限定されず、例えばスナップボタンであってもよい。
【００１９】
帯状部１４には、帯状部１４の長さＬを調節する長さ調節機構２２が更に備えられている。長さ調整機構２２は、図３に示すように、留め具部材２４への帯状部１４の通す位置を調整することで帯状部１４の長さを調節可能にするものである。長さ調整機構２２は、この構成に限定されず、種々の既知の機構を採用することができる。なお、余った部分を固定するための保持具２５が帯状部１４に更に設けられている。
【００２０】
また、帯状部１４は該帯状部１４の長手方向に伸縮可能である。特に、本実施形態のサコッシュ１０の帯状部１４は、その全長にわたって該帯状部１４の長手方向に伸縮可能である。ここでは、帯状部１４の全体が弾性材、ここではゴム材で作製されていて、その長手方向に伸縮可能である。これにより、帯状部１４は、外力が作用していないときの第１の状態と、該第１の状態よりも長く伸ばした第２の状態との間で選択的に変形可能である。なお、第２の状態から外力を除いたとき、帯状部１４は、当初の第１の状態に戻ることができる。
【００２１】
ここで、図１に示すように、袋本体部１２の幅を「Ｗ」とし、その高さを「Ｈ」とすると、幅Ｗは高さＨよりも長いので、幅Ｗ方向が袋本体部１２の長手方向となり、袋本体部１２の長手方向の長さは「Ｗ」となる。また帯状部１４の長手方向の長さＬに関して、第１の状態のときの長さを「Ｌ１」とし、第２の状態のときのその長さを「Ｌ２」とする。このとき、サコッシュ１０は、次の関係が成り立つように設計されている。
【００２２】
帯状部１４は、第２の状態にあるとき、帯状部１４の長手方向において、第１の状態のときの長さＬ１の少なくとも２倍の長さＬ２を有する。つまり、帯状部１４が長さＬ２を有するまで伸びたとき、帯状部１４は第２の状態にあるといえる。したがって、帯状部１４の長さＬは、長さＬ１と長さＬ２との間の長さに、より柔軟に変えることができる。
【００２３】
また、帯状部１４は、第１の状態にあるとき、その長手方向において、袋本体部１２の長手方向の長さＷの少なくとも３倍の長さＬ１を有する。したがって、袋本体部１２の大きさに対して帯状部１４の長さを非常に長くすることができる。
【００２４】
上記構成を備えるサコッシュ１０についての作用効果を図４及び図５に基づいて説明する。
【００２５】
図４に示すように、サコッシュ１０は斜めがけで用いられる。このとき、サコッシュ１０の帯状部１４は、ユーザーの一方の肩Ｓ１にかけられ、かつ、ユーザーのもう一方の肩Ｓ２の下側の脇の下、例えば脇腹に回るように、ユーザーの身体Ｂに斜め掛けされる。そして、このとき、長さ調節機構２２を調整することで、帯状部１４は、外力がかけられていない第１の状態よりもわずかに伸びた状態にあるとよい。これにより、ユーザーはサコッシュ１０を身体にフィットさせて保持し続けることができる。なお、図４の状態のとき、帯状部１４は、外力がかけられていない第１の状態となっていてもよい。
【００２６】
ここで、ユーザーが鉄道会社の自動改札機Ｍを通過するときを考える。このとき、ユーザーは袋本体部１２内に交通系電子カード（例えば、東日本旅客鉄道株式会社のＳｕｉｃａ（登録商標）ＩＣカード）を入れて、図４に示すようにサコッシュ１０を所持する。
【００２７】
ユーザーは自動改札機Ｍを通過するとき、サコッシュ１０を身体に装着したまま、袋本体部１２を手ＢＨで掴み、自動改札機Ｍに向けて帯状部１４を伸ばすことができる。既に説明したように、帯状部１４は、帯状部１４の長手方向において第１の状態の長さＬ１の少なくとも２倍の長さＬ２を有する第２の状態にまで伸びることができるので、図５に示すように、サコッシュ１０の帯状部１４が伸びることで、自動改札機Ｍで交通系電子カードを感知可能なところにまで袋本体部１２は達することが可能である。
【００２８】
そして、交通系電子カードを読み取った後、ユーザーが袋本体部１２から手ＢＨを離すことで、帯状部１４は縮み、第１の状態に、又は、図４に示す状態に戻ることができる。
【００２９】
以上述べたように、上記サコッシュ１０によれば、帯状部１４がかなり長くなることができ、よって、ユーザーは使用時にサコッシュ１０を身に着けたまま、袋本体部１２の位置を容易に柔軟に変えることができる。つまり、ユーザーは、サコッシュ１０を身体から完全に離すことを必要とせずに、袋本体部１２内の例えば交通系電子カードを利用することを可能にする。したがって、サコッシュ１０は、そのサコッシュ１０の機能性を更に高めることを可能にする。同様に、これは、例えば、袋本体部１２に硬貨等の金銭を入れているときに、それを取り出す際の利便性も更に高めることができる。
【００３０】
なお、帯状部１４の全体を長手方向に伸縮可能にしなくてもよい。例えば、帯状部１４はその少なくとも過半が該帯状部１４の長手方向に伸縮可能であるように作製されてもよい。このとき、帯状部１４の一部のみが例えば弾性材で作製されるとよい。
【００３１】
また、上記説明は、帯状部１４が第２の状態を超える長さまで伸びることを排除するものではない。第２の状態の長さＬ２は、上記説明に矛盾しない範囲で、柔軟に定めることができる。
【００３２】
以上、実施形態及びその変形例について説明したが、本考案はそれらに限定されない。本願の実用新案登録請求の範囲によって定義される本考案の精神及び範囲から逸脱しない限り、種々の置換、変更が可能である。
【符号の説明】
【００３３】
１０  サコッシュ
１２  袋本体部
１４  帯状部
１６  バックル
１８  雌型バックル部材
２０  雄型バックル部材
２２  長さ調整機構
２４  留め具部材
【図１】
0003231488.tif 000003
【図２】
0003231488.tif 000004
【図３】
0003231488.tif 000005
【図４】
0003231488.tif 000006
【図５】
0003231488.tif 000007